(57)【要約】      （修正有）【目的】携行性に優れ、且つ、多少の振動であっても駒がずれることのないボードゲームを提供する。【構成】四角形状を呈するゲーム盤の上に縦横同一間隔の複数の線状凸部を形成し、この凸部に囲まれた凹状枡目の中に駒を嵌め込み、配置する。駒は６面を有する略立法体であって、各面に着色、文字、記号、絵柄などを表示する。また、ゲーム盤の上面に略密接するカバー部材を備えてゲーム途中の状態を保持できるようにする。さらに、ゲーム盤内部に駒やゲーム部材を収納する収納部を設ける。【選択図】図１
0003205781.tif 000002
【実用新案登録請求の範囲】
【請求項１】
縦横同一間隔の複数の線状凸部を形成し、この凸部に囲まれた複数の凹状枡目を有するゲーム盤と、
前記凹状枡目に嵌め込む、立方体の複数の駒からなるボードゲーム器具であって、駒の高さを線状凸部の高さより高く形成し、
ゲーム盤上面を覆うカバーを備えたことを特徴とするボードゲーム器具。
【請求項２】
駒を嵌め込む凹状枡目の上下又は左右、あるいはその両方にゲーム中に駒を収納する凹部を設けたことを特徴とする請求項１記載のボードゲーム器具。
【請求項３】
駒やゲームの部品を収納する引き出しをゲーム盤内部に形成したことを特徴とする請求項１または２に記載のボードゲーム器具。
【請求項４】
駒の表面に一又は複数の触手による判別表示を形成したことを特徴とする請求項１ないし請求項３に記載のボードゲーム器具。
【考案の詳細な説明】
【技術分野】
【０００１】
この考案は囲碁等に代表されるボードゲーム盤に関する改良技術に関するものである。より詳しくは移動中の交通手段の中でも遊ぶことができ、また、ゲーム途中の状態を保持することができるボードゲーム盤に関する考案である。
【背景技術】
【０００２】
通常の碁盤は平面で、碁石は不安定な立体形状であるため碁盤の目の上に正確に駒を置いていくことは難しい。
【０００３】
また、旅行中の車内等で使用するために小型・軽量化されたボードゲーム盤がある。
【０００４】
旅行中の揺れる車内や機内で使用中であっても盤上に置かれた駒が容易に移動しないように碁盤と碁石に磁性を付与したボードゲームがある（特許文献１）。
【０００５】
碁盤本体に碁石を収納する引き出しを設けた携帯性に優れた碁盤の考案がある（特許文献２）。
【０００６】
さらに、駒を嵌め込む凹状枡目を形成した囲碁用具の考案がある（特許文献３）。
【先行技術文献】
【特許文献】
【０００７】
【特許文献１】特開平５−２６９２３６号公報
【特許文献２】特開Ｈ１１−３３３０４５号公報
【特許文献３】登録実用新案公報第３１２４７１４号
【考案の概要】
【考案が解決しようとする課題】
【０００８】
磁性を付与したボードゲームは吸着力の調整が難しく、磁性が強いと駒の移動がしづらく、力を入れすぎて隣の駒まで跳ね飛ばしてしまうことがある。一方、磁性が弱すぎると所期の効果、すなわち多少の振動では駒がずれないという効果を奏することができない。
【０００９】
ゲーム盤を折り畳み可能とし、ゲーム盤内部に収納個所を設けた携帯性に優れた碁盤は、小型軽量化に成功し、携行性に優れているが、ゲーム途中の状態を保持することができない。すなわち、移動中の交通手段の中で行う対局はゲーム途中で目的地についてしまうことがあり、やむなく配置状態を崩して駒の収納を余儀なくされていた。これでは消化不良を起こしてゲームを楽しむことができない。
【００１０】
特許文献３の囲碁用具は駒のずれが生じにくいが、ゲーム途中の状態を保持しながら携行する工夫はなされていない。
【課題を解決するための手段】
【００１１】
四角形状を呈するゲーム盤の上に縦横同一間隔の複数の線状凸部を形成し、この凸部に囲まれた凹状枡目の中に駒を嵌め込み、配置するのである。
【００１２】
駒は6面を有する略立法体であって、各面に着色、文字、記号、絵柄などが表示されている。また、ゲーム盤の上面に略密接するカバー部材を備えるのである。さらに、ゲーム盤内部に駒やゲーム部材を収納する収納部を設けるのである。
【考案の効果】
【００１３】
ゲーム盤上に設けた枡目に駒を嵌め込んでゲームを行うため、移動中の列車の中や飛行機中等、ゲーム盤を水平に保てない環境や、多少の振動が生じている場合であっても、駒は枡目の中に配置されており隣接する駒を倒すことがなく、また駒が盤上を移動することもなくゲームを楽しむことができる。
【００１４】
また、ゲーム途中であってもカバーをゲーム盤上面に密接するようにかぶせ、或いは、収納ケースに収納して持ち運びすることで、駒が上方に跳ねたり枡目から外れたりせずに、ゲーム途中の状態を固定保存することができ、次の場所で容易にゲームを再開することができる。
【００１５】
枡目を形成する線状凸部は上方に向けて先細りとなるテーパー状に形成されているため、駒が多数隣接している場合であっても隙間に指を差し込んで駒の抜き差しが容易となるのである。
【００１６】
６面を有する駒を使用するため遊び方の幅が広がるとともに、駒の面に描く図柄によってデザイン性も高まる。
【００１７】
また、駒には触手による判別可能な判別表示を設けたため、視覚障がい者であってもゲームを楽しむことができる。
【００１８】
立方体からなる駒の六面の内、白の碁石、黒の碁石の絵とともに、碁石を表す円の円周上から駒の各辺に対し垂直方向へ線を表示しているため、駒を枡目内に配置した時であってもあたかも駒に記載した碁石が碁盤の目の上に配置されている状態となり、碁を打っている感覚に近くなる。
【００１９】
ファミコン等一人で遊ぶ子供たちが増えてきたが、対戦相手と直接対峙しながら行うボードゲームを通じて会話をしながら人間同士の交流を深めることができる。
【図面の簡単な説明】
【００２０】
【図１】本考案のボードゲームのゲーム盤の平面図である。
【図２】本考案のボードゲームで使用する駒と駒を枡目に嵌め込んだ状態を示す説明図である。
【図３】本考案のボードゲームの一実施例を示す平面図である。
【図４】線状凸部の断面を示す説明図である。
【考案を実施するための形態】
【００２１】
次に本考案の最適の実施形態について図面を参照しながら詳説する。
【００２２】
図１は本考案に係るボードゲームに使用するゲーム盤１である。ボード１は段ボール等の硬質紙製あるいは軽量木製又はプラスチック製であって、ボード上面１aの中央部には縦横９列の枡目６を形成する線状凸部７が立設され、８１個の枡目が仕切られている。線状凸部７の隔壁６aは図４に示すように上方に向けて先細りのテーパー状に形成する。ゲームが進んで駒が多数並列された状態であっても駒同士の間に十分な隙間を確保し、指で駒を把持しやすくするためである。
【００２３】
また、当該枡目６を囲むように上下左右に長方形型凹部２、３、４、５が形成されている。これら長方形型凹部は自分の持ち駒と上げハマを対戦中保管しておく場所であって、ゲーム中にいたずらに駒が散乱することがない。
【００２４】
さらに、図示していないが、ゲームボード本体の下部に引き出し部を設け、駒を収納する収納部としてもよい。
【００２５】
この実施形態では、ゲーム盤上には９ｘ９の枡目が形成されているが、枡目の列はこの数に限定されるものではない。正規の碁盤のように枠体の中に均等に配列された縦横１８線からなる線状凸部によって１９ｘ１９個の枡目を形成しても良い。
【００２６】
枡目は略四角形状であるため、枡目に嵌め込む駒もそれに合わせて底面が四角形状であって、駒の底面積は枡目の底面積よりもやや狭いものに形成されている。  駒８は図２に示すようにサイコロ状略立法体であって、枡目を形成する隔壁６aの高さよりも高さを高く形成している。従って、枡目に駒を載置しやすく、さらに移動も容易である。
【００２７】
駒の六面は白と黒の以外の色に着色しておいても良いし、絵柄や数字、記号を記載しても良い。また、各面に国旗や物語の登場人物などを表示すると、いろいろな遊び方が可能となるのである。
【００２８】
また、図面には表示していないが、移動中の車内でゲーム途中に目的地についてしまったときには、駒が配置されたゲーム盤の上面全体をカバーで略密接状態で覆うことで、駒の配置を崩すことなく次の場所まで持ち運ぶことができ、次の場所で迅速にゲームを再開することができる。
【００２９】
このカバーは蓋状であっても、またゲーム盤全体を収納する引き出し状であっても構わない。
【実施例】
【００３０】
第一の実施例。
【００３１】
碁は縦横の線の交点へ正確に碁石を打つ。本願の駒の表示を工夫することで、碁を忠実に再現することができるのである。
【００３２】
図３に示すように駒９の中央部に黒丸１０又は白丸１１又は直交する十字線１２を表示し、さらに黒丸１０及び白丸１１の円周上から駒の各辺に向けて直線を記載することで、駒を枡目に収納しながら、あたかも駒は線上に配置されたように見えるのである。
【００３３】
第二の実施例。
【００３４】
ボード本体を覆う蓋の裏面又は上面に線状凸部を形成することでボード本体とは異なるゲームを楽しむことができる。例えば、囲碁の１９路盤を再現するのである。
【００３５】
上述の実施形態で説明した、９路盤では例えば一つの枡目の幅を３ｃｍ程度とすると、線状凸部の幅が約５ｍｍ程度であるため、全体の大きさは３１ｃｍｘ３１ｃｍほどの大きさとなる。
【００３６】
この面積の中に一つの枡目の一辺を１．３ｃｍ程度として１９の枡目を形成すると全長は３３ｃｍｘ３３ｃｍほどの大きさとなり、ボード本体とほぼ同じ大きさとなるので、ボード本体では９路盤の囲碁を楽しみ、蓋の裏面又は上面では本格的な囲碁の１９路盤を楽しむことができるのである。
【００３７】
このとき線状凸部の高さはボード盤上に形成した時よりも低く形成し、駒は従来の貝殻
型ではなく枡目に収まりやすく、安定感のあるチップ状とすることが好ましい。
【産業上の利用可能性】
【００３８】
この考案は各種ゲーム盤に応用が可能である。
【符号の説明】
【００３９】
１、 ゲーム盤  
２、３、４、５、凹部
６、枡目
７、線状凸部
８、駒
【図１】
0003205781.tif 000003
【図２】
0003205781.tif 000004
【図３】
0003205781.tif 000005
【図４】
0003205781.tif 000006